(57)【要約】【課題】  視認可能な大きさの画像を表示しつつ、複数の画像を表示、画像の選択操作、又は拡大・縮小画像の表示が可能であり、且つ高い操作性を持つ。【解決手段】  デジタルカメラ２のカメラボディ３の背面には、カラー表示部２１、モノクロ表示部２２、カーソル操作ボタン２５、切替スイッチ２６が、上面には、レリーズボタン１３、モードダイヤル１４が設けられている。デジタルカメラ２を再生モードにしたとき、カラー表示部２１には、再生画像が全画面表示され、モノクロ表示部２２には、再生画像に関する情報表示、又は画面内が複数の小画面に分割され、複数の画像が小画面にそれぞれ表示されるマルチ画面表示が行われる。モノクロ表示部２２の情報表示と、マルチ画面表示との切り替えは、切替スイッチ２６のスライド操作によって行われる。【選択図】        図２
2005229532.tif 000002
【特許請求の範囲】
【請求項１】
複数の画像データ、及びこれらの画像データに付された順番の情報を含む各種情報データが記憶された記憶媒体から画像及び各種情報データを読み出す読出手段と、この読出手段により読み出された画像又は各種情報をカラー表示するカラー表示部と、前記画像又は前記各種情報をモノクロ表示するモノクロ表示部と、これらの表示部に表示する表示内容の操作を行う操作部とを備えた画像表示装置において、
前記カラー表示部は、前記記憶媒体から読み出された１つの再生画像が画面の全体に表示される全画面表示をするとともに、前記モノクロ表示部は、前記記憶媒体から読み出された各種情報が表示される情報表示と、画面を複数の小さな小画面に等分割し、前記再生画像及びこの再生画像の前後の順番に位置する画像を含む複数の画像を前記小画面にそれぞれ表示するマルチ画面表示との間で表示内容が切り替えられることを特徴とする画像表示装置。
【請求項２】
複数の画像データ、及びこれらの画像データに付された順番の情報を含む各種情報データが記憶された記憶媒体から画像及び各種情報データを読み出す読出手段と、この読出手段により読み出された画像又は各種情報をカラー表示するカラー表示部と、前記画像又は前記各種情報をモノクロ表示するモノクロ表示部と、これらの表示部に表示する表示内容の操作を行う操作部とを備えた画像表示装置において、
前記カラー表示部は、前記記憶媒体から読み出された再生画像を画面の全体に表示する全画面表示で、尚且つ再生画像を１コマずつ順に代えていくコマ送り表示をするとともに、前記モノクロ表示部は、画面を複数の小さな小画面に分割し、前記再生画像及びこの再生画像の前後の順番に位置する画像を含む複数の画像を前記小画面にそれぞれ表示するマルチ画面表示で、尚且つ前記カラー表示部のコマ送り表示に合わせて、前記小画面に表示させる画像を順次コマ送り表示することを特徴とする画像表示装置。
【請求項３】
複数の画像データ、及びこれらの画像データに付された順番の情報を含む各種情報データが記憶された記憶媒体から画像及び各種情報データを読み出す読出手段と、この読出手段により読み出された画像又は各種情報をカラー表示するカラー表示部と、前記画像又は前記各種情報をモノクロ表示するモノクロ表示部と、これらの表示部に表示する表示内容の操作を行う操作部とを備えた画像表示装置において、
前記カラー表示部は、前記記憶媒体から読み出された再生画像を画面の全体に表示する全画面表示で、尚且つ再生画像を１コマずつ順に代えていくコマ送り表示をするとともに、前記モノクロ表示部は、前記記憶媒体中の全ての画像に対する前記再生画像の順番を棒状図形の長さで示した順番表示をすることを特徴とする画像表示装置。
【請求項４】
複数の画像データ、及びこれらの画像データに付された順番の情報を含む各種情報データが記憶された記憶媒体から画像及び各種情報データを読み出す読出手段と、この読出手段により読み出された画像又は各種情報をカラー表示するカラー表示部と、前記画像又は前記各種情報をモノクロ表示するモノクロ表示部と、これらの表示部に表示する表示内容の操作を行う操作部と、前記記憶媒体から読み出された再生画像の一部を拡大・縮小した拡大・縮小画像を作成する拡大・縮小表示制御手段を備えた画像表示装置において、
前記操作部の操作により拡大・縮小表示が入力されたとき、前記モノクロ表示部は、前記再生画像を画面の全体に表示する全画面表示をし、前記カラー表示部は、前記操作部の操作に基づいて拡大率を徐々に変化させながら前記再生画像の拡大・縮小画像を画面に表示する拡大・縮小画像表示をすることを特徴とする画像表示装置。
【請求項５】
前記カラー表示部と前記モノクロ表示部とは、その横幅がほぼ同じ矩形状に形成されており、筐体の同一面に、幅方向の位置が合わせられ、上下に並んで配置されていることを特徴とする請求項１ないし４記載の画像表示装置。
【請求項６】
画像又は情報をカラー表示するカラー表示部と、画像又は情報をモノクロ表示するモノクロ表示部とを備えており、前記カラー表示部は、１つの再生画像を画面の全体に表示する全画面表示をするとともに、前記モノクロ表示部は、画面を複数の小さな小画面に分割し、前記再生画像を含む複数の画像を前記小画面にそれぞれ表示するマルチ画面表示をすることを特徴とする画像表示方法。
【請求項７】
画像又は情報をカラー表示するカラー表示部と、画像又は情報をモノクロ表示するモノクロ表示部とを備えており、前記カラー表示部は、１つの再生画像を画面の全体に表示する全画面表示で、尚且つ再生画像を１コマずつ順に代えていくコマ送り表示をするとともに、前記モノクロ表示部は、画面を複数の小さな小画面に等分割し、前記再生画像を含む複数の画像を前記小画面にそれぞれ表示するマルチ画面表示で、尚且つ前記カラー表示部のコマ送り表示に合わせて、前記小画面に表示させる画像を順次コマ送り表示することを特徴とする画像表示装置。
【請求項８】
画像又は情報をカラー表示するカラー表示部と、画像又は情報をモノクロ表示するモノクロ表示部とを備えており、前記カラー表示部は、１つの再生画像を画面の全体に表示する全画面表示で、尚且つ再生画像を１コマずつ順に代えていくコマ送り表示をするとともに、前記モノクロ表示部は、前記再生画像の順番を棒状図形の長さで示した順番表示をすることを特徴とする画像表示方法。
【請求項９】
画像又は情報をカラー表示するカラー表示部と、画像又は情報をモノクロ表示するモノクロ表示部と、再生画像の一部を拡大・縮小した拡大・縮小画像を作成する拡大・縮小表示制御手段とを備えており、拡大・縮小表示が入力されたときに、前記モノクロ表示部は、１つの再生画像を画面の全体に表示する全画面表示をし、前記カラー表示部は、前記再生画像の拡大・縮小画像を画面に表示する拡大・縮小画像表示をすることを特徴とする画像表示方法。
【請求項１０】
前記カラー表示部と前記モノクロ表示部とは、その横幅がほぼ同じ矩形状に形成されており、同一平面上で、幅方向の位置が合わせられ、上下に並んで配置されていることを特徴とする請求項６ないし９記載の画像表示方法。
【発明の詳細な説明】
【技術分野】
【０００１】
本発明は、記憶媒体から画像を読み出し、表示部に画像を表示する画像表示方法、及びこれを用いた画像表示装置に関する。
【背景技術】
【０００２】
近年、デジタルカメラが急速に普及してきている。一般に、デジタルカメラには、画像を表示する表示手段が設けられており、この表示手段としては、ＬＣＤ（Liquid Crystal Display）パネルがカメラ本体の背面側に設けられていることが多い。なお、画像表示手段の数は１つだけに限らず、例えば出願人によって製造・販売されているデジタルカメラであるｆｉｎｅｐｉｘ６８００Ｚ（商品名）には、カラーＬＣＤ及びモノクロＬＣＤの２つの画像表示手段が備えられている。あるいは、特許文献１には、カメラボディの前面側にも表示部を設けているデジタルカメラが記載されている。
【０００３】
さらに、デジタルカメラでは、撮像モードと再生モードとの切り替えが可能であり、上述したような画像表示手段としてのＬＣＤパネルは、撮像モードのときには、撮像素子で撮像された画像をリアルタイムで表示する電子ビューファインダとして利用し、再生モードのときには、撮像記録された画像を読み出して再生する再生表示手段として使用する。
【０００４】
また、デジタルカメラなどの撮像素子を備えた撮像装置では、撮像された被写体画像は、メモリカードなどの記憶メディアに画像データとして記憶されることが多い。さらにメモリカードには、画像データとともに、ユーザーが予め入力した設定や、撮像時に記録された各種情報データが記憶される。
【０００５】
一方、デジタルカメラで再生モードが選択されているときには、表示部に画像を表示する方式としては、一般に、表示部の画面全体に１つの画像を表示する全画面表示と、表示部の画面をいくつかの小さい画面に分割して画像を複数表示するマルチ画面表示と呼ばれる表示方式が代表的である。そして、全画面表示では、メモリカードに記憶された画像データを１つずつ順番に読み出して、その画像を表示部の画面全体に表示する。そして、ユーザーによってカーソルボタンなどが操作されると、今まで表示されていた再生画像に代えて、その前後の順番の画像を読み出して、その画像を表示部の画面全体に表示する。このような選択操作を繰り返すと画像の表示が１つずつ切り換わっていき、ユーザーは所望の画像を探し出すことができる。
【０００６】
一方で、マルチ画面表示の場合、一度に複数の画像データをメモリカードから読み出して、それらの画像を表示部の小画面にそれぞれ表示する。そして、マルチ画面表示の画像の中で、詳細を見たい画像があるときには、その画像をカーソルボタンなどで選択し、その画像のみを拡大して表示するなどして詳細を確認できるようにしていた。
【０００７】
【特許文献１】特開２００１−２５７９１１号公報
【発明の開示】
【発明が解決しようとする課題】
【０００８】
しかしながら、上述したようなデジタルカメラでは、１つのＬＣＤで全画面表示とマルチ画面表示とを切り替えて表示しており、この表示を切り替えるための操作が面倒であったり、画面表示が切り替わるまでの時間がかかるなどの問題があり、使用者は所望の画像を探したり、その画像の詳細を確認したりするのに非常に手間が掛かっていた。
【０００９】
また、マルチ画面表示でも、中央の画面のみを大きくして、その周囲に小さい画面を配置するという表示方式も行われているが、周囲の小さい画面がさらに視認しずらくなってしまう。さらにまた、全画面表示になっているときには、そのとき表示されている画像が全体の何番目の画像かという順番が把握しずらく、使用者が所定の順番の画像を見たいと思ってもなかなか見つけることができなかった。
【００１０】
そこで、２つの画像表示手段を設け、一方はマルチ画面表示で、他方は全画面表示にして同時に表示させることが考えられるが、このようにマルチ画面表示と全画面表示とを同時に行うことは今迄あまり考えられておらず、上述のデジタルカメラ（ｆｉｎｅｐｉｘ６８００Ｚ（商品名））では、２つのＬＣＤを備えているものの、一方は各種情報の表示だけを行い、画像の再生表示には使用されていない。また、上記特許文献１記載のデジタルカメラでは、一方の表示部はカメラボディの背面に、他方の表示部は前面に配置されており、２つの表示部を同時に視認することができない。
【００１１】
また、上述したようなデジタルカメラでは、画像の一部を拡大・縮小した拡大・縮小画像を画像表示手段に表示したとき、拡大する前の画像が見れなくなり、拡大・縮小前後の画像を比較することができないという問題もあった。
【００１２】
本発明は、上記課題を鑑みてなされたものであり、画像を視認をするのに十分可能な大きさの画面で表示しつつ、複数の画像を表示、画像の選択操作、又は拡大・縮小画像の表示を容易に行うことが可能で、且つ高い操作性を持つことを可能とする画像表示装置及び画像表示方法を提供することを目的とする。
【課題を解決するための手段】
【００１３】
上記目的を達成するために、本発明は、複数の画像データ、及びこれらの画像データに付された順番の情報を含む各種情報データが記憶された記憶媒体から画像及び各種情報データを読み出す読出手段と、この読出手段により読み出された画像又は各種情報をカラー表示するカラー表示部と、前記画像又は前記各種情報をモノクロ表示するモノクロ表示部と、これらの表示部に表示する表示内容の操作を行う操作部とを備えた画像表示装置において、前記カラー表示部は、前記記憶媒体から読み出された１つの再生画像が画面の全体に表示される全画面表示をするとともに、前記モノクロ表示部は、前記記憶媒体から読み出された各種情報が表示される情報表示と、画面を複数の小さな小画面に等分割し、前記再生画像及びこの再生画像の前後の順番に位置する画像を含む複数の画像を前記小画面にそれぞれ表示するマルチ画面表示との間で表示内容が切り替えられることを特徴とする。
【００１４】
また、本発明は、前記カラー表示部は、前記記憶媒体から読み出された再生画像を画面の全体に表示する全画面表示で、尚且つ再生画像を１コマずつ順に代えていくコマ送り表示をするとともに、前記モノクロ表示部は、画面を複数の小さな小画面に分割し、前記再生画像及びこの再生画像の前後の順番に位置する画像を含む複数の画像を前記小画面にそれぞれ表示するマルチ画面表示で、尚且つ前記カラー表示部のコマ送り表示に合わせて、前記小画面に表示させる画像を順次コマ送り表示することを特徴とする。
【００１５】
さらにまた、本発明は、前記カラー表示部は、前記記憶媒体から読み出された再生画像を画面の全体に表示する全画面表示で、尚且つ再生画像を１コマずつ順に代えていくコマ送り表示をするとともに、前記モノクロ表示部は、前記記憶媒体中の全ての画像に対する前記再生画像の順番を棒状図形の長さで示した順番表示をすることを特徴とする。
【００１６】
あるいは、本発明は、複数の画像データ、及びこれらの画像データに付された順番の情報を含む各種情報データが記憶された記憶媒体から画像及び各種情報データを読み出す読出手段と、この読出手段により読み出された画像又は各種情報をカラー表示するカラー表示部と、前記画像又は前記各種情報をモノクロ表示するモノクロ表示部と、これらの表示部に表示する表示内容の操作を行う操作部と、前記記憶媒体から読み出された再生画像の一部を拡大・縮小した拡大・縮小画像を作成する拡大・縮小表示制御手段を備えた画像表示装置において、前記操作部の操作により拡大・縮小表示が入力されたとき、前記モノクロ表示部は、前記再生画像を画面の全体に表示する全画面表示をし、前記カラー表示部は、前記操作部の操作に基づいて拡大率を徐々に変化させながら前記再生画像の拡大・縮小画像を画面に表示する拡大・縮小画像表示をすることを特徴とする。
【００１７】
なお、前記カラー表示部と前記モノクロ表示部とは、その横幅がほぼ同じ矩形状に形成されており、筐体の同一面に、幅方向の位置が合わせられ、上下に並んで配置されていることを特徴とする請求項１ないし４記載の画像表示装置。
【００１８】
本発明の画像表示方法は、画像又は情報をカラー表示するカラー表示部と、画像又は情報をモノクロ表示するモノクロ表示部とを備えており、前記カラー表示部は、１つの再生画像を画面の全体に表示する全画面表示をするとともに、前記モノクロ表示部は、画面を複数の小さな小画面に分割し、前記再生画像を含む複数の画像を前記小画面にそれぞれ表示するマルチ画面表示をすることを特徴とする。
【００１９】
また本発明は、画像又は情報をカラー表示するカラー表示部と、画像又は情報をモノクロ表示するモノクロ表示部とを備えており、前記カラー表示部は、１つの再生画像を画面の全体に表示する全画面表示で、尚且つ再生画像を１コマずつ順に代えていくコマ送り表示をするとともに、前記モノクロ表示部は、画面を複数の小さな小画面に等分割し、前記再生画像を含む複数の画像を前記小画面にそれぞれ表示するマルチ画面表示で、尚且つ前記カラー表示部のコマ送り表示に合わせて、前記小画面に表示させる画像を順次コマ送り表示することを特徴とする画像表示装置。
【００２０】
さらにまた本発明は、画像又は情報をカラー表示するカラー表示部と、画像又は情報をモノクロ表示するモノクロ表示部とを備えており、前記カラー表示部は、１つの再生画像を画面の全体に表示する全画面表示で、尚且つ再生画像を１コマずつ順に代えていくコマ送り表示をするとともに、前記モノクロ表示部は、前記再生画像の順番を棒状図形の長さで示した順番表示をすることを特徴とする。
【００２１】
あるいは、本発明は、画像又は情報をカラー表示するカラー表示部と、画像又は情報をモノクロ表示するモノクロ表示部と、再生画像の一部を拡大・縮小した拡大・縮小画像を作成する拡大・縮小表示制御手段とを備えており、拡大・縮小表示が入力されたときに、前記モノクロ表示部は、１つの再生画像を画面の全体に表示する全画面表示をし、前記カラー表示部は、前記再生画像の拡大・縮小画像を画面に表示する拡大・縮小画像表示をすることを特徴とする。
【００２２】
なお、前記カラー表示部と前記モノクロ表示部とは、その横幅がほぼ同じ矩形状に形成されており、同一平面上で、幅方向の位置が合わせられ、上下に並んで配置されていることが好ましい。
【発明の効果】
【００２３】
本発明によれば、カラー表示部は再生画像を全画面表示するとともに、モノクロ表示部は情報表示とマルチ画面表示との間で表示内容が切り替えられるようにしたので、画像を視認をするのに十分可能な大きさの画面で表示しつつ、複数の画像を表示し、且つ高い操作性を持つことができる。
【００２４】
また、本発明では、カラー表示部は全画面表示で、尚且つ再生画像を１コマずつ順に代えていくコマ送り表示をするとともに、モノクロ表示部はマルチ画面表示で、尚且つカラー表示部のコマ送り表示に合わせて、小画面に表示させる画像を順次コマ送り表示するようにしたので、画像を視認をするのに十分可能な大きさの画面で表示しながら、複数の画像を表示することが可能であり、画像の選択などの際に、所望の画像を探しやすく、且つ高い操作性を持つことができる。
【００２５】
さらにまた、本発明では、カラー表示部は全画面表示で、尚且つ再生画像を１コマずつ順に代えていくコマ送り表示をするとともに、モノクロ表示部は、記憶媒体中の全ての画像に対する再生画像の順番を棒状図形の長さで示した順番表示をしているので、画像を視認をするのに十分可能な大きさの画面で表示しながら、画像の選択操作の際に所望の画像を探し易く、且つ高い操作性を持つことができる。
【００２６】
あるいは、本発明では、拡大・縮小表示が入力されたときに、モノクロ表示部は、１つの再生画像を画面の全体に表示する全画面表示をし、カラー表示部は、再生画像の拡大・縮小画像を画面に表示する拡大・縮小画像表示をしているので、画像を視認をするのに十分可能な大きさの画面で表示しつつ、拡大・縮小画像の表示を容易に行うことが可能で、且つ高い操作性を持つことができる。
【００２７】
また、カラー表示部とモノクロ表示部とは、その横幅がほぼ同じ矩形状に形成されており、筐体の同一面に、幅方向の位置が合わせられ、上下に並んで配置されているので、カラー表示部と、モノクロ表示部が同時に視認しやすくなり、操作性や、画像の視認性をさらに高めている。
【発明を実施するための最良の形態】
【００２８】
本発明を適用したデジタルカメラの正面側及び背面側斜視図を図１及び図２に示す。このデジタルカメラ２のカメラボディ３は、正面から見て縦長の矩形状に形成されている。カメラボディ３の前面には、撮像レンズ１０を保持するレンズ鏡胴１１、対物窓１２が組み込まれている。カメラボディ３の上面には、レリーズボタン１３、モードダイヤル１４が設けられている。デジタルカメラ２では、被写体の撮像を行う撮像モード、撮像した記録画像を再生表示する再生モード、および各種設定を行うセットアップモードが選択可能となっている。これらのモードの切り替えは、モードダイヤル１４を回動操作させることで行われる。カメラボディ３の前面で対物窓１２の下方には、録音用のマイク５６（図４参照）を露呈させる開口３ａが形成されている。
【００２９】
また、カメラボディ３の側面には、装填蓋１５が設けられており、この装填蓋１５を開放位置にすると、内部に形成されたスロット１６が露呈する。スロット１６には、メモリカード１７が着脱自在に取り付けられる。メモリカード１７としては、例えば不揮発性の半導体メモリであるフラッシュメモリが使用されている。このメモリカード１７内には、記録画像のデータを記録する領域と、この記録画像を管理するためのデータが記録されるファイル管理領域とが設けられている。このファイル管理領域には、それぞれの画像データに付された順番の情報も含まれる。画像データの順番は、本実施形態ではデジタルカメラ２によって記録された時系列に沿って付けられた順番とする。
【００３０】
さらにカメラボディ３の背面には、カラー表示部２１、モノクロ表示部２２、接眼窓２３、電源スイッチ２４、カーソル操作ボタン２５、切替スイッチ２６、及び決定ボタン２７ａ〜ｄ、スピーカ２８が設けられている。モノクロ表示部２２及びカラー表示部２１は、モノクロ及びカラーのＬＣＤパネルからそれぞれ構成され、その横幅Ｗがほぼ同じ矩形状に形成されており、カメラボディ３背面の同一平面上で、幅方向に位置が合わせられ、上下に並んで配置されている。また、接眼窓２３は上述の対物窓１２とともに光学式ファインダを構成する。
【００３１】
カーソル操作ボタン２５は、円形状のボタンであり、この円周を等分割する上下左右の４箇所が押圧操作部となっており、モノクロ表示部２２に表示されるメニュー画面又はマルチ画面表示内でカーソルを上下左右に移動させる際に押圧操作される。また、このカーソル操作ボタン２８は、ズーム操作ボタンを兼ねており、撮像モード下では、撮像レンズ１０のズーム倍率をワイド側、テレ側に変倍する際に押圧操作される。電源スイッチ２４は、電源のオン／オフ切り替えを行うときにスライド操作される。
【００３２】
レリーズボタン１３は、２段階押しのスイッチとなっている。カラー表示部２１又は光学式ファインダによるフレーミングの後に、レリーズボタン１３を軽く押圧（半押し）すると、自動露光調整（ＡＥ）、自動焦点調整（ＡＦ）などの各種撮像準備処理が施される。この状態でレリーズボタン１３をもう１度強く押圧（全押し）すると、撮像準備処理が施された１画面分の撮像信号が画像データに変換された後、後述する画像処理および圧縮処理が施され、メモリカード１７に記録される。
【００３３】
モードダイヤル１４、カーソル操作ボタン２５、及び決定ボタン２７ａ〜ｄを操作することにより、デジタルカメラ２の各種設定を行うことができる。各種設定を行うときには、モードダイヤル１４を押圧してセットアップモードにし、表示部２１，２２の設定画面内に表示されたメニューのうち、該当する項目にカーソルを移動させ、決定ボタン２７ａ〜ｄを押圧操作することにより該当する項目が選択されて各種操作を行うことができる。
【００３４】
さらに、モードダイヤル１４、及び切替スイッチ２６を操作することによって表示部２１，２２に表示される表示内容の切替操作を行うことができる。表示部２１，２２は、各選択モード下によって表示内容が異なっており、撮像モード時には、カラー表示部２１は、被写体を確認するためのスルー画像を表示し、いわゆる電子ビューファインダとして使用され、モノクロ表示部２２は、各種設定、撮像可能枚数、及び選択モードなどの情報表示を行う。
【００３５】
そして、再生モード時には、図３に示すように、カラー表示部２１は、メモリカード１７から読み出した１枚の画像を画面の全体に表示する全画面表示を行って１コマ再生を行なうとともに、モノクロ表示部２２は、メモリカード１７から読み出した撮像情報に関するデータの情報表示（図３（Ａ）に示す状態）、又は画像のマルチ画面表示（図３（Ｂ）に示す状態）を行う。この再生モード下での切替操作は、切替スイッチ２６によって行われる。すなわち、モノクロ表示部２２は、再生モード下では上述したデータの情報表示、又は記録画像のマルチ画面表示のいずれかを行うが、これらの表示内容は切替スイッチ２６のスライド操作によって切り替えられる。
【００３６】
なお、この再生モード下でのマルチ画面表示では、図３（Ｂ）に示すように、モノクロ表示部２２の画面が９つの小さな画面２２ａ〜ｉに等分割され、メモリカード１７から読み出された９つの画像が小さな画面２２ａ〜ｉにそれぞれ表示される。なお、この再生モードのとき、カーソル操作ボタン２５を右側に押圧すると、現在カラー表示部２１に表示されている画像に代えて次の順番の画像が、左側に押圧すると、前の順番の画像に順次切り替わっていき、それに合わせてモノクロ表示部２２のマルチ画面表示も切り替わる。
【００３７】
また、この再生モード下での情報表示では、図３（Ａ）に示すように、モノクロ表示部２２の画面内に、画像に関する複数のデータが表示されており、例えば符号３１はＩＳＯ感度情報を示す数字であり、符号３２は画像の順番を示す数字、符号３３は記録した画像の全体の枚数、符号３４は日付、符号３５は絞り値などを示す。
【００３８】
さらに、この情報表示のとき、モノクロ表示部２２の画面内には、表示画像に対する処理メニューを示す４つの指標３６〜３９が表示されており、それぞれ、削除、書き込み禁止、ボイスメモ再生、ボイスメモ録音の各処理を示すものであり、この指標３６〜３９の下方に位置する決定ボタン２７ａ〜ｄがそれぞれの処理に対応しており、決定ボタン２７ａ〜ｄを押圧操作することにより、カラー表示部２１に表示された画像に対して、その画像データにいずれかの処理が実行される。なお、指標３６が示す削除処理では、カラー表示部２１に表示される画像のデータが削除され、指標３７が示す書き込み禁止処理では、画像データの変更が不可となり、その他の処理操作をしてもその処理が実行されることはない。また、指標３９が示すボイスメモ録音処理では、いわゆるボイスメモ機能を実行するためのものであり、対応する決定ボタン２７ｄを押圧操作している間に、録音マイク５６から入力された音声を録音し、この画像データに音声データを付加する。そして、指標３８が示すボイスメモ再生処理では、対応する決定ボタン２７ｃを押圧操作すると、画像データに付加された音声データを読み出して、スピーカ２８から出力する。
【００３９】
さらにまた、セットアップモード時には、表示部２１，２２ともに各種メニュー画面や、設定内容の表示に使用される。なお、各種操作ボタン及びスイッチの機能や配置は、デジタルカメラ２の機能や用途などに合わせて変更すればよく、本実施形態に限定されるものではない。
【００４０】
図４は、デジタルカメラ２の電気的構成を示すブロック図である。撮像レンズ１０の背後には、ＣＣＤイメージセンサやＣＭＯＳイメージセンサなどから構成された固体撮像素子４１が配置されている。撮像レンズ１０を透過した被写体光が、固体撮像素子４１によって撮像信号に変換される。固体撮像素子４１は、ドライバ４２及びタイミングジェネレータ４３を介して、デジタルカメラ２の全体を制御するＣＰＵ４４に接続されている。このＣＰＵ４４が、ドライバ４２及びタイミングジェネレータ４３を制御して固体撮像素子４１が駆動される。
【００４１】
この固体撮像素子４１から出力された撮像信号は、相関二重サンプリング回路（ＣＤＳ）４５に入力される。ＣＤＳ４５は、固体撮像素子４１から入力された撮像信号を、固体撮像素子４１の各セルの蓄積電荷量に正確に対応したＲ、Ｇ、Ｂの画像データとして出力する。ＣＤＳ４５から出力された画像データは、増幅器（ＡＭＰ）４６で増幅される。Ａ／Ｄ変換器４７は、ＡＭＰ４６で増幅された画像データをデジタルの画像データに変換する。Ａ／Ｄ変換器４７から出力されたデジタルの画像データは、画像信号処理回路４８に送信される。
【００４２】
画像信号処理部４８は、データバス４９を介してＣＰＵ４４に接続されている。ＣＰＵ４４は画像信号処理部４８を制御して階調変換、ホワイトバランス補正、γ補正処理などの各種画像処理を画像データに施す。さらに画像信号処理部４８には、データバス４９を介してビデオメモリ５０及びバッファメモリ５１が接続されている。ビデオメモリ５０は、カラー表示部２１を電子ビューファインダとして使用する際に、画像信号処理部４８から送られた解像度の低い画像データが一時的に記録される。ビデオメモリ５０に記録された画像データは、データバス４９を介してＬＣＤドライバ５２，５３に送信され、カラー表示部２１に表示される。バッファメモリ５１は、撮像された高解像度のデータが一時的に記録される。このバッファメモリ５１から読み出された画像データは、データバス４９を解して接続されている圧縮・伸張処理部５４により、ＪＰＥＧ等の圧縮方式により圧縮される。圧縮された画像データは、ＣＰＵ４４がメディアコントローラ５５を制御してメモリカード１７に記録される。
【００４３】
また、ＣＰＵ４４には、レリーズボタン１３、モードダイヤル１４、及び操作部２３が接続されている。ＣＰＵ４４は、これらレリーズボタン１３、モードダイヤル１４、及び操作部２３の操作によってユーザーからの指令を取得する。ユーザーから記録画像の再生命令を取得した場合には、ＣＰＵ４４は、メディアコントローラ５５を制御してメモリカード１７から画像データを読み出す。ＣＰＵ４４は、ＬＣＤドライバ５２，５３を制御して伸張された画像データを表示部２２，２１に表示させることができ、上述したようにモノクロ表示部２２にマルチ画面表示を行うときには、複数の画像データが読み出されて、モノクロ表示部２１の画面が分割された小画面２２ａ〜ｉ内にそれぞれの画像データを表示させる。さらに、ＣＰＵ４４は、各種メニュー画面・設定内容をＬＣＤドライバ５２，５３を介して２つの表示部２２，２１に表示させることができる。
【００４４】
また、ＣＰＵ４４には、音声信号処理回路５７を介して録音マイク５６及びスピーカ２８が接続されており、ＣＰＵ４４は、録音マイク５６による音声の入力を、音声信号処理回路５７で、逐次Ａ／Ｄ変換、及び各種の信号処理により音声データに変換して、メモリカード１７に書き込む。そしてまた再生時には、メモリカード１７に書き込まれた音声データは、音声信号処理回路５７で再びＤ／Ａ変換され、スピーカ２８から出力される。
【００４５】
上記構成の作用について図５のフローチャートに基づいて説明する。まず、モードダイヤル１４によって再生モードを選択すると、カラー表示部２１には、メモリカード１７に記録されている画像６５が読み出されてカラー表示部２１に全画面表示され、モノクロ表示部２２には、画像６５を撮像したときの撮像情報、ファイル番号などの情報表示（図３（Ａ）に示す状態）が行われる。そして、切替スイッチ２６がスライド操作されると、モノクロ表示部２２は、画面が９つの小さな画面２２ａ〜ｉに等分割され、その小画面２２ａ〜ｉに画像がそれぞれ表示されるマルチ画面表示に切り替わる（図３（Ｂ）に示す状態）。このとき、メモリカード１７からは、画像６５とともに、画像６５の前後の順番で記録されていた画像６１〜６４、６６〜６９が読み出され、モノクロ表示部２２の中央に位置する小画面２２ｅに画像６５が表示され、画像６５よりも前の順番に位置する画像６１〜６４が、小画面２２ａ〜ｄに、画像６５よりも後の順番に位置する画像６６〜６９が小画面２２ｆ〜ｉにそれぞれ順番通りに表示される。そして、カーソル操作ボタン２５を押圧操作すると、カラー表示部２１に全画面表示される画像が１コマずつ順番に切り替わっていき、それと同時に、モノクロ表示部２２に表示される画像も、中央の小画面２２ｅはカラー表示部２１と同じ画像に切り替わり、小画面２２ａ〜ｄ及び小画面２２ｆ〜ｉの画像もその前後の順番の画像に順次切り替わっていく。そして所望の画像がカラー表示部２１に表示されたときには、切替スイッチ２６をスライド操作してモノクロ表示部２２の表示内容を情報表示に戻すと、表示画像の画像データに各処理（削除、書き込み禁止、ボイスメモ録音・再生）を行うことができる。そして各処理を実行し、さらに別の画像を探したいときにはモノクロ表示部２２を再度マルチ画面表示に切り替えて画像を選択し、その後情報表示に戻して画像データに各処理を実行することができる。
【００４６】
このように、カラー表示部２１には、全画面表示で画像が表示され、モノクロ表示部２２には、その前後の画像とともにマルチ画面表示で複数の画像が表示されるようになっているので、所望の画像を探したり、その画像を選択して画像データに各処理を実行するなどの操作が容易であるとともに、カラー表示部２１には、画像が全画面表示されているので、画像の細部まで視認しやすくなっている。さらに、モノクロ表示部２２とカラー表示部２１がカメラボディ３の同じ面に上下に並んで配置されているので、全画面表示とマルチ画面表示を同時に視認することが容易になっている。
【００４７】
なお、上記第１の実施形態においては、モノクロ表示部２２の表示内容を切り替える切替手段として切替スイッチ２６を設けているが、これに限るものではなく、例えばカーソル操作ボタン２５がこの切替手段を兼ねるようにしてもよい。すなわち、図６に示すように、ユーザーがカーソル操作ボタン２５を右または左側に押圧操作すると、ＣＰＵ４４は、モノクロ表示部２２の表示内容を情報表示（図６（Ａ）に示す状態）からマルチ画面表示（図６（Ｂ）に示す状態）に切り替え、これと同時に画像の１コマ送りを開始する。なお、このとき、モノクロ表示部２２のマルチ画面表示では、１列に画像が表示可能な数、例えば３つの小画面２２ｊ〜ｌを画面内に配置して、中央の小画面２２ｋにカラー表示部２１と同じ画像６５を表示し、その前後の順番の画像６４及び画像６６を小画面２２ｋ及び小画面２２ｌにそれぞれ表示し、カーソル操作ボタン２５を右側に押圧操作したときは画面の右側（図中Ａ方向）に小画面２２ｊ〜ｌがスクロールし、左側に押圧操作したときは、画面の左側（図中Ｂ方向）に小画面２２ｊ〜ｌがスクロールするようにしてもよい。そして、ユーザーがカーソル操作ボタン２５から手を離すと、モノクロ表示部２２は、情報表示に切り替わり、画像のコマ送りも停止するようになる。
【００４８】
上記実施形態では、モノクロ表示部２２の表示内容を、情報表示及びマルチ画面表示の間で切り替えることによって、所望の画像を探す画像選択処理の操作性の向上や、画像の順番を把握しやすくしているが、本発明はこれに限るものではない。例えば、図７に示すように、モノクロ表示部２２の表示内容を、情報表示（図７（Ａ）に示す状態）と、順番表示（図７（Ｂ）に示す状態）の間で切り替えるようにしてもよい。すなわち、図７（Ｂ）に示すモノクロ表示部２２の順番表示では、画面の中央部に位置する順番表示バー７１が、カラー表示部２１に現在表示されている表示画像の位置を示している。このバー７１は、横長の棒状図形で、その長手方向における長さＬALL メモリカード１７に記録され  た全ての画像の枚数を示し、さらに長手方向の途中の境界線７１ａで色違いとなっており、図中左側の端縁７１ｂから境界線７１ａまでの長さＬN 、現在カラー表示部２１に表  示されている表示画像の位置となっている。これによって、現在の表示画像が全ての画像に対してどの位置にあるかという順番を、一目で把握することができる。またこの表示画像の順番を把握することで、所望の画像を探すことも容易になる。なお、図７（Ｂ）においては、モノクロ表示部２２で順番表示バー７１を表示する画面中央の矩形部分７２以外のスペースでは、情報表示のときと同じ内容になっているが、これに限らず、例えば順番表示バー７１以外のスペースは全て黒などの単一色で塗り潰す表示にしてもよい。
【００４９】
また、上記実施形態では、カラー表示部２１での全画面表示と、モノクロ表示部２２でのマルチ画面表示を同時に行って、全画面表示によって細部の視認を可能とするとともに、マルチ画面表示によって所望の画像の選択を容易にすることを両立させているが、本発明はこれに限らず、図８に示すように、拡大・縮小操作が入力されたときに、モノクロ表示部２２には、再生されている画像６５の全画面表示をし、カラー表示部２１には、画像６５の一部分を拡大・縮小した画像７５を表示する拡大・縮小画像表示をするようにしてもよい。なお、この場合、画像の少なくとも一部を拡大・縮小した拡大・縮小画像は、画像信号処理部４８によって作成される。また、この場合、カーソル操作ボタン２５が、表示内容の切替手段と、拡大・縮小比率の入力手段とを兼ねるようにすることが可能である。すなわち、ユーザーがカーソル操作ボタン２５を右または左側に押圧操作すると、ＣＰＵ４４は、モノクロ表示部２２の表示内容を情報表示（図８（Ａ））から画像６５の全画面表示（図８（Ｂ））に切り替えるとともに、カラー表示部２１は全画面表示（図８（Ａ））から拡大・縮小画像表示（図８（Ｂ））に切り替え、これと同時に画像の拡大・縮小を開始する。なお、このとき、例えば切り替えの直後は、カラー表示部２１と、モノクロ表示部２２とが同じ等倍表示で、その後カーソル操作ボタン２５を右側に押圧し続けることで、画像の中央部分のみが拡大表示され、また、左側に押圧し続けることで、縮小表示されるようになる。そして、ユーザーがカーソル操作ボタン２５から手を離すと、モノクロ表示部２２は、情報表示に切り替わり、カラー表示部２１の画像の拡大・縮小も停止するようになる。
【００５０】
上記実施形態では、画像表示装置としてデジタルカメラを例示して説明したが、本発明はこれに限定されず、他の画像表示装置、例えばパーソナルコンピュータや、カメラ付き携帯電話、携帯型情報端末（ＰＤＡ）などにも適用することができる。
【図面の簡単な説明】
【００５１】
【図１】本発明を適用したデジタルカメラの正面側外観斜視図である。
【図２】本発明を適用したデジタルカメラの背面側外観斜視図である。
【図３】再生モードのときのカラー表示部及びモノクロ表示部の表示内容を示す説明図である。
【図４】デジタルカメラの電気的構成を示すブロック図である。
【図５】再生モードときの処理手順を示すフローチャートである。
【図６】第２実施形態におけるカラー表示部及びモノクロ表示部の表示内容を示す説明図である。
【図７】第３実施形態におけるカラー表示部及びモノクロ表示部の表示内容を示す説明図である。
【図８】第４実施形態におけるカラー表示部及びモノクロ表示部の表示内容を示す説明図である。
【符号の説明】
【００５２】
２  デジタルカメラ
３  カメラボディ
２１  カラー表示部
２２  モノクロ表示部
２５  カーソル操作ボタン
２６  切替スイッチ
【図１】
2005229532.tif 000003
【図２】
2005229532.tif 000004
【図３】
2005229532.tif 000005
【図４】
2005229532.tif 000006
【図５】
2005229532.tif 000007
【図６】
2005229532.tif 000008
【図７】
2005229532.tif 000009
【図８】
2005229532.tif 000010